(57)【要約】【課題】電磁波シールド特性に優れた携帯機器を提供する。【解決手段】携帯電話機２０の筐体２１の内面に電磁波シールド層２２が設けられている。この筐体２１に設けられた窓開口２３に沿って表示装置２４が設けられている。この表示装置２４の前面に防眩及び電磁波シールド用の前面部材３０が設けられている。この前面部材３０は、ガラス板３１と、このガラス板３１の前面に形成された電磁波シールド層３２と、この電磁波シールド層３２を覆う防眩フィルム３３とを有する。表示装置２４とこれを覆う前面部材３０とは、筐体２１の窓開口２３の裏側縁部に重なっている。電極３４を介して電磁波シールド層２２，３２が導通している。【選択図】  図２
2005019850.tif 000002
【特許請求の範囲】
【請求項１】
筐体の窓開口に表示装置が設けられた携帯機器であって、
該筐体の内面に電磁波シールド層が設けられている携帯機器において、
該表示装置の前面に表示装置用電磁波シールド層が設けられ、
該筐体の電磁波シールド層と該表示装置用電磁波シールド層とが導通していることを特徴とする携帯機器。
【請求項２】
請求項１において、該表示装置用電磁波シールド層は透明基板上に形成されており、該透明基板は前記窓開口よりも大きく、該透明基板の周縁部が該窓開口の裏側の縁部に重なるようになっており、
該筐体の電磁波シールド層と表示装置用電磁波シールド層とは、該窓開口の裏側縁部において導通していることを特徴とする携帯機器。
【請求項３】
請求項２において、該筐体の電磁波シールド層と表示装置用電磁波シールド層とは、該窓開口の裏側縁部において少なくとも一方に設けられた電極を介して導通していることを特徴とする携帯機器。
【請求項４】
請求項１ないし３のいずれか１項において、該表示装置用電磁波シールド層の前面が保護フィルムで覆われていることを特徴とする携帯機器。
【請求項５】
請求項４において、該保護フィルムは防眩フィルムであることを特徴とする携帯機器。
【請求項６】
請求項５において、該防眩フィルムは、偏光フィルムと、該偏光フィルムの表面に形成されたハードコート層とを備え、該ハードコート層の表面に光散乱用の微細凹凸が形成されたものであることを特徴とする携帯機器。
【請求項７】
請求項１ないし６のいずれか１項において、該電磁波シールド層はパターンエッチングされた金属膜よりなる導電性メッシュを有することを特徴とする携帯機器。
【請求項８】
請求項１ないし６のいずれか１項において、該電磁波シールド層は格子状の繊維に金属を被覆してなる導電性メッシュを有することを特徴とする携帯機器。
【請求項９】
請求項１ないし６のいずれか１項において、該電磁波シールド層は導電性インクのパターン印刷よりなる導電性メッシュを有することを特徴とする携帯機器。
【発明の詳細な説明】
【０００１】
【発明の属する技術分野】
本発明は携帯機器に係り、特に電磁波シールド特性に優れた携帯機器に関する。
【０００２】
【従来の技術】
携帯電話機やモバイルコンピュータ、電子手帳などの携帯機器から発生する電磁波をシールドするために、携帯機器の筐体の内面に電磁波シールドを設けることは下記文献等の通り周知である。
【０００３】
【特許文献１】
特開２００２−２４６７８５号公報
【０００４】
【発明が解決しようとする課題】
携帯機器の筐体には、表示装置を設置するための窓開口が設けられており、この窓開口から電磁波が筐体外部に漏出する。
【０００５】
本発明は、この窓開口からの電磁波の漏出を十分に抑制することができる携帯機器を提供することを目的とする。
【０００６】
【課題を解決するための手段】
本発明の携帯機器は、筐体の窓開口に表示装置が設けられた携帯機器であって、該筐体の内面に電磁波シールド層が設けられている携帯機器において、該表示装置の前面に表示装置用電磁波シールド層が設けられ、該筐体の電磁波シールド層と該表示装置用電磁波シールド層とが導通していることを特徴とするものである。
【０００７】
かかる本発明の携帯機器にあっては、筐体内面だけでなく表示装置の前面にも電磁波シールド層が設けられているので、窓開口からの電磁波漏出が抑制される。特に、この筐体内面の電磁波シールド層と窓開口の電磁波シールド層とが導通しているので、電磁波シールド特性がきわめて良好なものとなる。
【０００８】
筐体及び窓開口の電磁波シールド層同士を導通させるために、表示装置用電磁波シールド層は透明基板上に形成されており、該透明基板は前記窓開口よりも大きく、該透明基板の周縁部が該窓開口の裏側の縁部に重なるようになっており、該筐体の電磁波シールド層と表示装置用電磁波シールド層とは、該窓開口の裏側縁部において導通している構成とすることが好ましい。この場合、筐体の電磁波シールド層と表示装置用電磁波シールド層とは、該窓開口の裏側縁部において少なくとも一方に設けられた電極を介して導通していることが好ましい。
【０００９】
本発明では、表示層用電磁波シールド層の前面が防眩フィルム等の保護フィルムで覆われていることが好ましい。この防眩フィルムとしては、偏光フィルムと、該偏光フィルムの表面に形成されたハードコート層とを備え、該ハードコート層の表面に光散乱用の微細凹凸が形成されたものが好ましい。
【００１０】
電磁波シールド層としては、導電性メッシュが好適であり、特に導電性メッシュとしては、パターンエッチングされた金属膜よりなる導電性メッシュ、格子状の繊維に金属を被覆してなる導電性メッシュ又は導電性インクのパターン印刷よりなる導電性メッシュが好適である。
【００１１】
【発明の実施の形態】
以下、図面を参照して実施の形態について説明する。
【００１２】
図１は実施の形態に係る携帯機器としての携帯電話機２０の断面図、図２は図１のＩＩ部分の拡大図である。
【００１３】
携帯電話機２０の筐体２１の内面に電磁波シールド層２２が設けられている。この筐体２１に設けられた窓開口２３に沿って表示装置２４が設けられている。この表示装置２４の前面に防眩及び電磁波シールド用の前面部材３０が設けられている。この前面部材３０は、ガラス板３１と、このガラス板３１の前面に形成された電磁波シールド層３２と、この電磁波シールド層３２を覆う防眩フィルム３３とを有する。
【００１４】
表示装置２４としては液晶表示装置等が好適であるが、これに限定されない。この表示装置２４とこれを覆う前面部材３０とは、窓開口２４よりも若干寸法が大きいものであり、それらの縁部は筐体２１の窓開口２３の裏側縁部に重なるようになっている。該窓開口２３の縁部においては、電磁波シールド層２２と、前面部材３０の電磁波シールド３２の縁部との少なくとも一方に電極３４が設けられており、この電極３４を介して電磁波シールド層２２，３２が導通している。電極３４を形成するには、導電性の塗料を塗布したり、あるいは金属箔を導電性接着剤で貼り付けるなどの手段を採用することができる。また、電磁波シールド層３２をパターンエッチングにて形成する場合には、窓開口２３の裏側に接する部分の周囲を残しエッチングを行うことで電極としたり、導電性インクのパターン印刷にて形成する場合には、窓開口２３の裏側に接する部分の周囲をベタ塗りにして電極とすることができる。更に、導電性メッシュを使う時などは、上記周囲に銅製等金属から成るテープを貼合して電極を形成することができる。
【００１５】
防眩フィルム３３は電極３４よりも中央側に配置されている。この防眩フィルム３３としてはアンチグレア偏光フィルムが好適であるが、ＡＲ（アンチリフレクション）フィルムを使用することができ、具体的には、偏光フィルム表面にハードコート散乱層（アンチグレア層）をコーティングしたものが挙げられる。このハードコート散乱層は、表面に微細な凹凸を形成し、外光を多方向に散乱させて防眩作用を奏する。
【００１６】
このように構成された携帯機器にあっては、筐体２１の内面に電磁波シールド層２２が設けられると共に、窓開口２３にも電磁波シールド層３２が設けられているので、電磁波シールド特性に優れる。特に、この電磁波シールド層２２，２３同士が電極３４を介して導通しているので、電磁波シールド特性が著しく良好である。
【００１７】
上記電磁波シールド層２２，３２としては、格子状の繊維に金属を被覆してなる導電性メッシュ、パターンエッチングされた金属膜よりなる導電性メッシュ、又は導電性インクのパターン印刷よりなる導電性メッシュが好適である。
【００１８】
この格子状の繊維に金属を被覆してなる導電性メッシュとしては、ポリエステル繊維に銅めっきを施したものが好適である。
【００１９】
パターンエッチングされた金属膜よりなる導電性メッシュとしては、銅箔などの金属箔を透明接着剤によってＰＥＴフィルム等の透明基材フィルムに貼り、パターンエッチングしたものが好適であり、特に、このパターンエッチング後に次亜塩素酸による酸化処理等により黒化処理して光の反射を防止するようにしたものが好適である。この場合、透明基材フィルムとパターンエッチングされた金属箔とによって導電性メッシュが構成される。
【００２０】
導電性インクのパターン印刷による導電性メッシュとしては、ＰＥＴ等の透明基材フィルムの上に導電性インクをパターン印刷したものが好適である。また、ガラス板３１の上に導電性インクをパターン印刷したものであってもよく、この場合、パターン印刷後に２００℃以上例えば２００〜３５０℃程度でインキを焼き付けたものであってもよい。ガラス板への導電性インクの印刷に先立って黒色インクをパターン印刷し、この黒色インクのパターン上に導電性インクをパターン印刷してもよい。
【００２１】
【発明の効果】
以上の通り、本発明によると電磁波シールド特性に優れた携帯機器が提供される。
【図面の簡単な説明】
【図１】実施の形態に係る携帯機器としての携帯電話機の断面図である。
【図２】図１のＩＩ部分の拡大図である。
【符号の説明】
２０  携帯電話機
２１  筐体
２２，３２  電磁波シールド層
２４  表示装置
【図１】
2005019850.tif 000003
【図２】
2005019850.tif 000004